(57)【要約】【課題】少なくとも１つの楽音処理装置の動作を制御する楽音効果コントローラであって、少なくとも１つの楽音処理装置の出力を結合する出力接続部と、少なくとも１つの楽音処理装置を選択的に作動するための選択スイッチ手段とを有するコントローラである。コントローラは、出力接続部と選択スイッチ手段の間に、少なくとも１つの楽音処理装置のアクティブにされた出力を出力接続部に転送するためのスイッチ手段をさらに有する。コントローラは、また、異なる装置を即座に選択することができるように、異なる楽音処理装置の選択を待ち状態にする手段を有していてもよい。
2004536353.tif 000002
【特許請求の範囲】
【請求項１】
少なくとも１つの楽音処理装置の動作を制御する楽音効果コントローラであって、前記少なくとも１つの楽音処理装置の出力を結合するための出力接続部と、前記少なくとも１つの楽音処理装置を選択的に作動させるための選択スイッチ手段とを有する楽音効果コントローラ。
【請求項２】
前記出力接続部と前記選択スイッチ手段との間に、前記少なくとも１つの楽音処理装置のアクティブにされた出力を前記出力接続部に転送するためのスイッチをさらに有する、請求項１に記載の楽音効果コントローラ。
【請求項３】
複数の楽音処理装置が前記コントローラに結合され、各楽音処理装置が前記選択スイッチ手段に結合されている、請求項１または２に記載の楽音効果コントローラ。
【請求項４】
前記楽音処理装置はギター用の効果音ペダルであり、該効果音ペダルは前記コントローラとともに筐体内に配置される、請求項１から３のいずれか１項に記載の楽音効果コントローラ。
【請求項５】
所定のオーディオ処理を行う少なくとも１つの楽音処理装置を処理待ち状態にするための第１のスイッチ手段と、前記処理待ち状態を解除して前記所定のオーディオ処理を実行させるための第２のスイッチ手段を有する、請求項１から４のいずれか１項に記載の楽音効果コントローラ。
【請求項６】
処理されるオーディオ信号が入力されるオーディオ入力接続部と、処理されたオーディオ信号を転送するオーディオ出力接続部と、オーディオ入力部と前記処理されたオーディオ信号を転送するオーディオ出力部をそれぞれ有する少なくとも１つの楽音処理装置のための接続手段と、所定のオーディオ処理のために前記少なくとも１つの楽音処理装置のうちの少なくとも１つを処理待ち状態にするための第１のスイッチ手段と、前記処理待ち状態を解除して前記所定のオーディオ処理を実行させるための第２のスイッチ手段を有する楽音効果コントローラ。
【請求項７】
処理されるオーディオ信号が入力されるオーディオ入力接続部と、処理されたオーディオ信号を転送するオーディオ出力接続部と、オーディオ入力部と前記処理されたオーディオ信号を転送するオーディオ出力部をそれぞれ有する複数の楽音処理装置のための接続手段と、所定のオーディオ処理のために前記複数の楽音処理装置のうちの少なくとも１つまたは２つ以上を処理待ち状態にするための第１のスイッチ手段と、前記処理待ち状態を解除して前記所定のオーディオ処理を実行させるための第２のスイッチ手段を有する楽音効果コントローラ。
【発明の詳細な説明】
【技術分野】
【０００１】
本発明は、楽音効果コントローラに関し、特に、エレキギターのための効果音ペダル用の楽音効果コントローラに関するが、これには限定されない。
【背景技術】
【０００２】
多くのギター奏者のキャリアにおいて、どんなにつまみ調整と微調整をしても、しかるべき音を彼らのギターとアンプで見つけだすことができないときがくる。こういう状況のとき、ギタリストは、多くの場合、彼らの楽器の音を特別な方法で変更するために効果音ペダルを使用する。ギターに与えることができる非常に多くの異なる種類の効果、例えば、トレモロ、ホアホア、エコー等が存在する。これらの効果の各々は、増幅器に接続され、必要なときに選択して動作させる別々の効果音ペダルによって制御することができる。もし、多くの効果が必要ならば、複数の効果音ペダルが、これらを増幅器に接続するデイジー・チェーン接続されたケーブルの増設とともに必要になる。各効果音ペダルは、必要なときにスイッチ・オンされなければならず、任意数のこれら効果音ペダルが任意のときに同時に作動することができる。これらの装置を続けて切り替えることは面倒なことであり、さらに良い解決策が模索されている。そのうえ、必要になる多数のケーブルは見苦しく、かつ、ギター奏者がペダルの１つを踏み外す原因になりうる。
【発明の開示】
【発明が解決しようとする課題】
【０００３】
本発明の目的は、複数の楽音処理装置を選択的に動作待ち状態にし、ユーザの制御によって動作待ち状態を解除することができる楽音効果コントローラを提供することにある。
【０００４】
本発明の他の目的は、楽音効果コントローラ、楽音処理装置用の接続手段、および楽音処理装置を収容する筐体を提供することにある。
【課題を解決するための手段】
【０００５】
これらの目的および他の目的を達成するために、本発明は、少なくとも１つの楽音処理装置の出力を結合する出力接続部と、少なくとも１つの楽音処理装置を選択的に作動するための選択スイッチ手段とを有し、少なくとも１つの楽音処理装置の動作を制御する楽音効果コントローラを提供する。
【０００６】
楽音効果コントローラは、出力接続部と選択スイッチ手段との間に、少なくとも１つの楽音処理装置のアクティブにされた出力を出力接続部に転送するための別のスイッチを有することが好ましい。複数の楽音処理装置が楽音効果コントローラに結合され、各々の楽音処理装置が選択スイッチ手段に結合されることが好ましい。
【０００７】
具体例においては、楽音処理装置はギター用の効果音ペダルであり、効果音ペダルは楽音効果コントローラとともに筐体内に配置される。
【０００８】
本発明の別の実施態様においては、処理されるオーディオ信号が入力されるオーディオ入力接続部と、処理されたオーディオ信号を転送するオーディオ出力接続部と、オーディオ入力部と処理されたオーディオ信号を転送するオーディオ出力部をそれぞれ有する少なくとも１つの楽音処理装置のための接続手段と、所定のオーディオ処理を行う少なくとも１つの楽音処理装置のうちの少なくとも１つを処理待ち状態にするための第１のスイッチ手段と、所定のオーディオ処理が実行されるように前記処理待ち状態を解除するための第２のスイッチ手段を有する楽音効果コントローラが提供される。
【０００９】
本発明のさらに別の態様においては、処理されるオーディオ信号が入力されるオーディオ入力接続部と、処理されたオーディオ信号を転送するオーディオ出力接続部と、オーディオ入力部と処理されたオーディオ信号を転送するオーディオ出力部をそれぞれ有する複数の楽音処理装置のための接続手段と、所定のオーディオ処理を行う複数の楽音処理装置のうちの少なくとも１つまたは２つ以上を処理待ち状態にするための第１のスイッチ手段と、所定のオーディオ処理が実行されるように処理待ち状態を解除するための第２のスイッチ手段を有する楽音効果コントローラが提供される。
【発明を実施するための最良の形態】
【００１０】
図面の図１と図２には、筐体１２内に実装されている楽音効果コントローラ１０が示されている。好ましい実施形態を、ギター用の効果音ペダルで楽音効果コントローラを使用することを例に説明するが、本発明はこの特定の使用に限定されない。本発明は、音楽であれ、何であれ、任意のオーディオ信号が処理を受け、または、ゲートによる制御をうける必要がある場合に用いることができる。筐体１２は、アルミニウム、または、強固で、かつ、確実な保護を与える他の適切な材料で製作することができる。ハンドル３０付き蓋（不図示）が、筐体１２を完全に覆ってその内容物を保護するために、対向する縁の両端に、筐体１２に対して取り外しできるように掛け金で取り付けられる。銘板１４は、筐体に取り付けられている部品の視覚的な表示を与え、スイッチと楽音効果コントローラの動作を視覚的に表示する手段を収容している。Ｖｅｌｃｒｏ（登録商標）の帯板が、複数の効果音ペダル１６、１８を保持するために、銘板１４に貼り付けられている。図１は２つの効果音ペダルの使用を示しているが、全部で６個の効果音ペダルを取り付けるスペースがある。本発明のコントローラは、これより少ない、または、これより多くの効果音ペダルを備えることを含む。効果音ペダル１６、１８は、よくある既製品であり、Ｂｏｓｓ、Ｓａｂｉｎｅ、Ｚｏｏｍなどの商標名で製造されているので、本発明の一部を構成しない。各効果音ペダルは、ギターの音を変化させることができる。
【００１１】
コントローラ１０は、筐体１２内に実装できる調整電源または外部電源からＤＣ電力を供給される。外部電源を用いる場合のために、入力ソケット２０が設けられている。ＤＣ出力ソケット２２が、コントローラに接続されている効果音ペダルに電力を供給するために設けられている。この接続は、デイジー・チェーンケーブル（不図示）を介して行うことができる。オーディオ入力接続部２４によって、ギター（不図示）からのオーディオ・リードをコントローラに与えることができ、コントローラからのオーディオ出力は接続部２６で取り出すことができる。接続部２８によって、フライ・リードをそれぞれの効果音ペダルのオーディオ入力部に取り付けることができ、一方、接続部３０によって、効果音ペダルをコントローラに２０に結合するために、フライ・リードを効果音ペダルのオーディオ出力部に取り付けることができる。
【００１２】
発光部４４〜５４は、それぞれ、効果音ペダル１６、１８に関連づけられ、発光部に関連づけられている効果音ペダルがオーディオ信号に影響を与えているか、または、バイパスされているかということ、すなわち、それぞれの効果音ペダルの「状態」の視覚的表示を与える。同様に、発光部３２〜４２は、関連する効果音ペダルが既に動作待ち状態にされていて、スイッチ６８の次ぎの押下とともに動作状態になるという視覚的表示を与える。
【００１３】
スイッチ５６〜６６は「ｑｕｅｕｅ」スイッチとして公知であって、それぞれ効果音ペダルに関連づけられている。これらのスイッチは、それぞれの効果音ペダルを選択／選択解除するために使用される。これらのスイッチは、単に動作待ち状態を変化させるだけであるから、その選択は無制限に、または、スイッチ６８が押下されるまで変更することができる。スイッチ６８は「ｔｒａｎｓｆｅｒ」ボタンで、単に動作待ち状態にある選択された効果音ペダルの状態を転移させて、これらをアクティブにするとともに、新たな選択に備えて動作待ち状態を同時にクリアする。スイッチ５６〜６６、６８は、状態がマイクロコントローラＩＣ１およびＩＣ２（図５）によって読み込まれる瞬時押しボタンであるのが好ましい。
【００１４】
図５および６は、効果音ペダル１６、１８の動作を制御するコントローラ１０の回路構成を示している。図５は、図５および６の双方に示されている接点Ａで図６に接続している。コントローラ１０の動作を制御する１対のマイクロコントローラＩＣ１、ＩＣ２が図５に示されている。本実施形態においては、マイクロコントローラＩＣ１、ＩＣ２は同一で、Ｍｉｃｒｏｃｈｉｐ Ｔｅｃｈｎｏｌｏｇｙ Ｉｎｃ．によって製造されている部品番号ＰＩＣ１６Ｆ８４で指定される。これらのマイクロコントローラは、１８ピン・フラッシュ／ＥＥＰＲＯＭの８ビットマイクロコントローラであり、市販されている製品である。これらのマイクロコントローラの動作についての情報は、この製品のデータ・シートから入手可能であるので、説明は行わない。各マイクロコントローラは、各マイクロコントローラに結合する３つのスイッチのセットと、コントローラ１０の動作を表示する、関連づけられた発光部を有する。マイクロコントローラＩＣ１は、スイッチ５６〜６０と、それらに関連する発光部３２〜３６に結合され、一方、マイクロコントローラＩＣ２は、スイッチ６２〜６６と、それらに関連する発光部３８〜４２に結合されている。ＩＣ１は、スイッチ６８を含む。同様に、発光部４４〜４８は、マイクロコントローラＩＣ１に結合され、発光部５０〜５４は、マイクロコントローラＩＣ２に結合されている。
【００１５】
各効果音ペダルの切り替えスイッチは、２つの双方向性スイッチとインバータの組み合わせから形成されている。例えば、効果音ペダル１６は、オーディオ入力部７０とオーディオ出力部８２を有する。オーディオ入力部２４は、オーディオ出力部７０と双方向性スイッチＩＣ３−Ａに直接接続されている。ＩＣ３−Ａは、Ｎａｔｉｏｎａｌ Ｓｅｍｉｃｏｎｄｕｃｔｏｒから部品番号４０６６で入手することができる４組の双方向性スイッチのうちの１つのスイッチである。ＩＣ３−Ａの制御線は、入力がもう１つの双方向性スイッチＩＣ３−Ｂの制御線とマイクロコントローラＩＣ１のデータ線に結合されているインバータＩＣ６−Ａの出力部からくる。インバータＩＣ６−Ａは、Ｎａｔｉｏｎａｌ Ｓｅｍｉｃｏｎｄｕｃｔｏｒから部品番号４０１０６で単一のパッケージとして入手可能な６個のこの種のインバータの一部である。もう１つの双方向性スイッチＩＣ３−Ｂの制御部もまた、発光部３２を含む。双方向性スイッチＩＣ３−Ａからの出力は、接続部７２、８４に接続されている次の効果音ペダルのための次の切り替えスイッチの一部を形成している、対応する双方向性スイッチＩＣ３−Ｃに結合されている。双方向性スイッチＩＣ３−Ｂの出力は、次の効果音ペダルのオーディオ入力に供給される。図６から分かるように、他の効果音ペダルに連結されているさらに５つの切り替えスイッチがある。集積回路ＩＣ４およびＩＣ５も、Ｎａｔｉｏｎａｌ Ｓｅｍｉｃｏｎｄｕｃｔｏｒ部品番号４０６６である。これらの他の切り替えスイッチの機能は、効果音ペダル１６を引用して説明したものと同一であり、これ以上の説明はしない。
【００１６】
使用において、マイクロコントローラＩＣ１、ＩＣ２は、スイッチ５６〜６８を監視し、すべての制御機能を実施して、すべての発光部３２〜５４を駆動する。マイクロコントローラＩＣ１、ＩＣ２は、同一のプログラムを実行し、マイクロコントローラＩＣ１がスイッチ６８を監視することで、マスタ／スレーブ結合として連結される。転送線９４は、２つのマイクロコントローラを連結して、スイッチ６８の状態を確認する。もし、６個より多くの効果音ペダルが必要ならば、追加のマイクロコントローラを一緒にデイジー・チェーン接続することができる。コントローラ１０は、図１に示されているように構成されていて、この例では、効果音ペダル１６、１８の２つのだけ接続されて示されている。効果音ペダル１６のオーディオ入力は、オーディオ出力７０に結合され、一方、効果音ペダル１８のオーディオ入力は、オーディオ出力８０に結合され、効果音ペダル１６のオーディオ出力は、オーディオ入力８２に結合され、一方、効果音ペダル１８のオーディオ出力は、オーディオ出力９２に結合されている。効果音ペダル１６、１８がコントローラ１０によって作動状態にされると、マイクロコントローラＩＣ１、ＩＣ２が初期化され、すべての発光部３２〜５４が消灯される。制御線Ｃ１〜Ｃ６がマイクロコントローラＩＣ１、ＩＣ２によってロー・レベルに保たれ、これによってインバータＩＣ６−Ａの出力が、ＩＣ３−Ａをオンにするハイ・レベルになる。同時に、ＩＣ３−Ｂは、その制御線もロー・レベルに保持されているので、オフになる。したがって、ギターからの未処理の信号２４は、次ぎの出力部７２に到達する。双方向性スイッチＩＣ３−Ｂはオフであるので、効果音ペダル１６からオーディオ入力部８２を通る処理された信号はブロックされる。このモードでは、ギター２４からの生信号は、変更されないで、出力部２６に直接到達する。他の切り替えスイッチも同様に動作する。
【００１７】
もし効果音ペダル１６が必要ならば、スイッチ５６が押下される。マイクロコントローラＩＣ１は、この押下を検出して、効果音ペダル１６が待ち状態になったことを表示する発光部３２を点灯する。スイッチ５６〜６６は、一度の押下で特定の効果音ペダルを選択し、次ぎの押下でその効果音ペダルの選択を解除するトグルスイッチとして動作する。２つ以上の効果音ペダルは、それに関連づけられているスイッチを押下することによって選択することができる。この段階では、制御線Ｃ１〜Ｃ６は直前の選択を反映しているから、その効果音を実施することができない。これらの操作によって、選択された効果音ペダルは動作のための待ち状態になる。効果音の使用が必要なときには、転移ボタンとして働き、待ち状態をクリアして効果音を送信することを可能にするスイッチ６８が押される。選択された効果音ペダルは、関連づけられている制御線Ｃ１〜Ｃ６をマイクロコントローラＩＣ１およびＩＣ２によってハイ・レベル状態に置く。本例においては、効果音ペダル１６のみが選択されているので、制御線Ｃ１のみがマイクロコントローラＩＣ１によってハイ・レベル状態におかれ、同時に発光部４４が点灯される。したがって、インバータＩＣ６−Ａの出力がロー・レベルになり、そのことによって、次ぎにスイッチＩＣ３−Ａが遮断状態になる。このようにして、前段からの信号がスイッチＩＣ３−Ａによって阻止される。スイッチＩＣ３−Ｂの制御線はハイ・レベルであるから、このスイッチは導通状態になり、効果音ペダル１６からの処理された信号８２は次の切り替えスイッチの入力部に到達し、以下の段では同様な動作が行われる。選択された効果音ペダルからの処理された信号は、スイッチ６８が押下されるまで続く。
【００１８】
図３には、コントローラ１０と同一の動作をする、第２の実施形態のコントローラ１００が示されている。筐体の形が変化し、それとともに発光部およびスイッチが再配置されている。説明が重複することを避けるために、図１および２の対応する整数は、同じ参照番号が与えられている。コントローラ１０、１００の構造と外観は特定の用途に適するように変更することができる。
【００１９】
図４には、スイッチ５６〜６８が、ギター奏者１０６の腕１０４の上に巻かれているアーム・バンド１０２上に再現されている第３の実施形態が示されている。コントローラの遠隔操作ができるように、ケーブル１０８がコントローラ１０、１００につながっている。この実施形態は、ギター奏者にさらに多くの自由を与え、コントローラの位置を行ったり来たりする必要がなくなる。さらに自由を追加するために、ケーブル１０８をコードレス機器、例えば、スイッチ５６〜６８のための赤外遠隔制御機器に置き換えることができるであろう。
【００２０】
効果音ペダルは、常に動作状態にされていて、これらの機器に共通するスイッチ・オン遅れを防止することは明らかである。マイクロコントローラは、即座に効果音を切り替え、そして、回路の説明から明らかなように、効果音ペダルはコントローラ１０のなかを通って直列に結線されているので、各段からの効果は累積される。効果音ペダルを単一の筐体に収納することによって、演奏者にとって舞台は著しく安全になり、効果音ペダルへのアクセスとその配置は単純化される。
【００２１】
演奏が終了すると、コントローラは迅速に筐体１０中に詰め込まれ、効果音ペダルは安全に筐体１０内に保存される。
【００２２】
以上、好ましい実施形態を特定の構成要素を引用して説明したが、本発明は、このような構成要素に限定されないことは当業者に明らかである。マイクロコントローラは容易に変更することができ、例えば、それはスイッチとトリガーでもよい。必要ならば、別の構成要素に置き換えてもよい。マイクロコントローラのプログラミングも、コントローラの動作にさらに特徴と変更を与えるために変更してもよい。
【００２３】
本明細書では、本発明の包括的な特質といくつかの具体的な実施形態のみを例示によって説明したが、本発明は、当業者に対してただちに明らかであり、かつ、本発明の範囲内にあると見なされる多くの他の修正を含むことが理解されるであろう。
【図面の簡単な説明】
【００２４】
【図１】本発明の望ましい実施形態にしたがって製作された楽音効果コントローラを収容している筐体、および、筐体内に効果音ペダルが配置されていることを示している斜視図である。
【図２】効果音ペダルのない、図１に図示されている筐体の平面図である。
【図３】本発明の望ましい実施形態にしたがって製作された楽音効果コントローラを収容している第２の実施形態の筐体の平面図である。
【図４】本発明の第３の実施形態の斜視図である。
【図５】楽音効果コントローラの回路の第１の部分の回路概略図である。
【図６】図５に示されている楽音効果コントローラの回路の第２の部分の回路概略図である。
【国際公開パンフレット】
2004536353.tif 000003
2004536353.tif 000004
2004536353.tif 000005
2004536353.tif 000006
2004536353.tif 000007
2004536353.tif 000008
2004536353.tif 000009
2004536353.tif 000010
2004536353.tif 000011
2004536353.tif 000012
2004536353.tif 000013
2004536353.tif 000014
2004536353.tif 000015
2004536353.tif 000016
2004536353.tif 000017
2004536353.tif 000018
2004536353.tif 000019
【国際調査報告】
2004536353.tif 000020
2004536353.tif 000021
2004536353.tif 000022